(57)【要約】【課題】  着用者の股下と吸収体との間にポケットを形成する場合において、着用者に装着時の違和感を与えることなく、より確実に横漏れを防止できる吸収性物品を提供する。【解決手段】  本発明に係る吸収性物品１は、着用者の前胴回りに対応する前胴回り領域Ｓ１と、着用者の後胴回りに対応する後胴回り領域Ｓ２と、着用者の股下に対応する股下領域Ｓ３と、吸収体３０を含む中央領域Ｃ１と、吸収性物品１の幅方向Ｗに対して中央領域Ｃ１の外側に位置する側部領域Ｃ２とを有する。裏面シート２０は、吸収性物品１の幅方向Ｗに対して、延伸加工が施された延伸部２１と、延伸加工が施されない未延伸部２２とを有する。延伸部２１は、股下領域Ｓ３内の中央領域Ｃ１の少なくとも一部に位置する中央延伸部２１Ａと、股下領域Ｓ３内の側部領域Ｃ２の少なくとも一部に位置する側部延伸部２１Ｂを有する。【選択図】    図１
2010227235.tif 000002
【特許請求の範囲】
【請求項１】
液透過性の表面シートと、液不透過性の裏面シートと、前記表面シートと前記裏面シートとの間に設けられる吸収体とを備え、着用者の前胴回りに対応する前胴回り領域と、前記着用者の後胴回りに対応する後胴回り領域と、前記着用者の股下に対応する股下領域とを有する吸収性物品であって、
前記吸収性物品の幅方向に対して前記吸収体を含む中央領域と、
前記吸収性物品の幅方向に対して前記中央領域の外側に位置する側部領域とをさらに有し、
前記裏面シートは、
前記前胴回り領域から前記後胴回り領域に向かう前後方向に直交する前記吸収性物品の幅方向に対して、延伸加工が施された延伸部と、
延伸加工が施されない未延伸部と
を有し、
前記延伸部は、
前記股下領域内の前記中央領域の少なくとも一部に位置する中央延伸部と、
前記股下領域内の前記側部領域の少なくとも一部に位置する側部延伸部と
を有する吸収性物品。
【請求項２】
前記延伸部は、前記吸収性物品の前後方向において前記中央領域の全域に設けられる請求項１に記載の吸収性物品。
【請求項３】
前記側部延伸部の延伸倍率は、前記中央延伸部の延伸倍率よりも大きい請求項１または２に記載の吸収性物品。
【請求項４】
前記側部延伸部の延伸倍率は、前記中央延伸部の延伸倍率よりも小さい請求項１または２に記載の吸収性物品。
【請求項５】
前記延伸部は、前記裏面シートに延伸加工が施される前の前記裏面シートに対して２．５倍以下で延伸される請求項１乃至４の何れか一項に記載の吸収性物品。
【発明の詳細な説明】
【技術分野】
【０００１】
本発明は、液透過性の表面シートと、液不透過性の裏面シートと、表面シートと裏面シートとの間に設けられる吸収体とを備える吸収性物品に関する。
【背景技術】
【０００２】
従来から、パンツ型のおむつや生理用ナプキン、パンティライナーなどの吸収性物品は、着用者のお腹側（前胴回り）に対応する前胴回り領域と、着用者の背中側（後胴回り）に対応する後胴回り領域と、着用者の股下に対応する股下領域とを備える。
【０００３】
股下領域には、着用者から排出される体液を吸収する吸収体と、着用者の体液が吸収性物品から漏れることを防止する防漏部とが設けられる。防漏部は、前胴回り領域から後胴回り領域に向かう前後方向（いわゆる、長手方向）に沿って設けられるとともに、吸収体の両側縁部において複数に折り畳まれた状態で配置される。
【０００４】
このような防漏部の内部には、伸縮性を有するゴムなどの紐状体が伸長された状態で設けられる。防漏部は、伸長された紐状体が伸長前の状態に復元しようとするため、吸収体から離れる方向へ立ち上がる。これにより、吸収性物品は、着用者のお腹側から背中側に沿った状態に丸くなり、防漏部が着用者の肌に接するため、着用者の股下と吸収体との間に空間（いわゆる、ポケット）が形成される。従って、着用者吸収体の両側縁部から体液が漏れる横漏れを防止できる（例えば、特許文献１参照）。
【先行技術文献】
【特許文献】
【０００５】
【特許文献１】特開昭６３−２３５５０１号公報（第１−２頁、図１及び図２）
【発明の概要】
【発明が解決しようとする課題】
【０００６】
しかしながら、上述した従来の吸収性物品には、次のような問題があった。すなわち、ポケットを形成するために、防漏部を吸収体の両側縁部において複数に折り畳まむ必要がある。このため、複数に折り畳まれた防漏部が着用者の肌に接することによって、着用者が吸収性物品を装着した際に違和感を与えてしまうという問題があった。
【０００７】
そこで、本発明は、着用者の股下と吸収体との間にポケットを形成する場合において、着用者に装着時の違和感を与えることなく、より確実に横漏れを防止できる吸収性物品の提供を目的とする。
【課題を解決するための手段】
【０００８】
上述した課題を解決するため、本発明は、次のような特徴を有している。まず、本発明の特徴は、液透過性の表面シート表面シート（表面シート１０）と、液不透過性の裏面シート（裏面シート２０）と、前記表面シートと前記裏面シートとの間に設けられる吸収体（吸収体３０）とを備え、着用者の前胴回りに対応する前胴回り領域（前胴回り領域Ｓ１）と、前記着用者の後胴回りに対応する後胴回り領域（後胴回り領域Ｓ２）と、前記着用者の股下に対応する股下領域（股下領域Ｓ３）とを有する吸収性物品（例えば、吸収性物品１）であって、前記吸収性物品の幅方向（幅方向Ｗ）に対して前記吸収体を含む中央領域（中央領域Ｃ１）と、前記吸収性物品の幅方向に対して前記中央領域の外側に位置する側部領域（側部領域Ｃ２）とをさらに有し、前記裏面シートは、前記前胴回り領域から前記後胴回り領域に向かう前後方向（すなわち、長手方向Ｌ）に直交する前記吸収性物品の幅方向に対して、延伸加工が施された延伸部（延伸部２１）と、延伸加工が施されない未延伸部（未延伸部２２）とを有し、前記延伸部は、前記股下領域内の前記中央領域の少なくとも一部に位置する中央延伸部（中央延伸部２１Ａ）と、前記股下領域内の前記側部領域の少なくとも一部に位置する側部延伸部（側部延伸部２１Ｂ）と有することを要旨とする。
【発明の効果】
【０００９】
本発明の特徴によれば、着用者の股下と吸収体との間にポケットを形成する場合において、着用者に装着時の違和感を与えることなく、より確実に横漏れを防止できる吸収性物品を提供することができる。
【図面の簡単な説明】
【００１０】
【図１】図１は、第１実施形態に係る吸収性物品１を示す平面図である。
【図２】図２は、第１実施形態に係る吸収性物品１を示す断面図（図１のＡ−Ａ断面図）である。
【図３】図３は、第１実施形態に係る吸収性物品１を示す断面図（図１のＢ−Ｂ断面図）である。
【図４】図４は、第１実施形態に係る裏面シート２０を示す平面図である。
【図５】図５は、第１実施形態に係る延伸加工装置５００を示す斜視図である。
【図６】図６は、第１実施形態に係る延伸加工装置５００を示す正面図・拡大正面図である。
【図７】図７は、作用・効果を説明するための吸収性物品１を示す平面図である。
【図８】図８は、作用・効果を説明するための吸収性物品１を示す断面図（着用時）である。
【図９】図９は、変更例１に係る吸収性物品１Ａの一部を示す断面図である。
【図１０】図１０は、変更例２に係る吸収性物品１Ｂの一部を示す断面図である。
【図１１】図１１は、変更例３に係る吸収性物品１Ｃの一部を示す断面図である。
【図１２】図１２は、第２実施形態に係る裏面シート２０を示す平面図である。
【発明を実施するための形態】
【００１１】
以下において、本発明に係る吸収性物品について、図面を参照しながら説明する。具体的には、第１実施形態、第２実施形態、第３実施形態、その他の実施形態について説明する。
【００１２】
なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきものである。また、図面相互間においても互いの寸法の関係や比率が異なる部分が含まれていることは勿論である。
【００１４】
［第１実施形態］
まず、第１実施形態に係る吸収性物品１の構成について、図面を参照しながら説明する。図１は、第１実施形態に係る吸収性物品１を示す平面図である。図２は、第１実施形態に係る吸収性物品１を示す断面図（図１のＡ−Ａ断面図）である。図３は、第１実施形態に係る吸収性物品１を示す断面図（図１のＢ−Ｂ断面図）である。なお、第１実施形態では、吸収性物品１は、オープン型のおむつである。
【００１５】
図１〜図３に示すように、吸収性物品１は、着用者の前胴回り（お腹側）から後胴回り（背中側）に向かう方向に対応した前後方向（以下、吸収性物品１の長手方向Ｌ）に向かって縦長の形状を有する。
【００１６】
吸収性物品１は、吸収性物品１の長手方向Ｌにおいて、着用者の前胴回りに対応する前胴回り領域Ｓ１と、着用者の後胴回りに対応する後胴回り領域Ｓ２と、着用者の股下に対応し、前胴回り領域Ｓ１と後胴回り領域Ｓ２との間に位置する股下領域Ｓ３とを有する。
【００１７】
また、吸収性物品１は、吸収性物品１の長手方向Ｌに直交する幅方向Ｗにおいて、吸収性物品１の幅方向Ｗに対して後述する吸収体３０を含む中央領域Ｃ１と、吸収性物品１の幅方向Ｗに対して中央領域Ｃ１の外側に位置する側部領域Ｃ２とを有する。
【００１８】
このような吸収性物品１は、表面シート１０と、裏面シート２０と、吸収体３０とを備える。また、吸収性物品１には、ウエストフラップ部４０と、サイドフラップ部５０とが設けられる。
【００１９】
表面シート１０は、着用者の肌に接する側に設けられる。表面シート１０の幅方向Ｗにおける両端部は、吸収体３０を包み込んでいる。表面シート１０は、親水性不織布や織物、開口プラスチックフィルム、開口疎水性不織布などの液透過性のシートによって形成される。
【００２０】
裏面シート２０は、表面シート１０よりも非着用者側に設けられる。裏面シート２０は、防水フィルム（例えば、ポリエチレン）などの液不透過性のバックシート２０Ａと、バックシート２０Ａにおける吸収体３０が設けられる反対側の面に貼付られた不織布などの外装シート２０Ｂとによって形成される。この裏面シート２０は、必ずしもバックシート２０Ａと外装シート２０Ｂとによって形成される必要はなく、バックシート２０Ａのみであってもよい。なお、裏面シート２０の詳細については、後述する。
【００２１】
吸収体３０は、表面シート１０と裏面シート２０との間に設けられる。吸収体３０は、粉砕パルプや高吸収性ポリマーなどの混合粉体３０Ａと、混合粉体３０Ａを被覆するティッシュ等の被覆材３０Ｂとによって形成される。
【００２２】
ここで、上述した表面シート１０、裏面シート２０及び吸収体３０は、接着剤（例えば、ホットメルト）や熱融着などによって各々が接合される。
【００２３】
ウエストフラップ部４０は、吸収性物品１の長手方向Ｌに対する前胴回り領域Ｓ１及び後胴回り領域Ｓ２に設けられる。ウエストフラップ部４０は、前胴回り領域Ｓ１に位置する一対の前側フラップ部４０Ａと、後胴回り領域Ｓ２に位置する一対の後側フラップ部４０Ｂとを有する。
【００２４】
前側フラップ部４０Ａは、吸収性物品１の幅方向Ｗ外側に向かって、サイドシート６０が延出することによって形成される。なお、前側フラップ部４０Ａは、裏面シート２０の外装シート２０Ｂに接合されるサイドシート６０の代わりに、裏面シート２０（バックシート２０Ａ及び外装シート２０Ｂ）が延出することによって形成されてもよい。
【００２５】
後側フラップ部４０Ｂは、前側フラップ部４０Ａと同様に、吸収性物品１の幅方向Ｗ外側に向かって、サイドシート６０が延出することによって形成される。後側フラップ部４０Ｂにおける吸収体３０が設けられる側の面には、吸収性物品１の幅方向Ｗ外側において、前胴回り領域Ｓ１に係止する係止部４１が設けられる。係止部４１は、面ファスナーや粘着テープなどによって形成される。
【００２６】
なお、係止部４１が面ファスナー（雄部材）である場合、前胴回り領域Ｓ１の係止部４１が係止される領域に非係止部（雌部材）が設けられてもよく、前胴回り領域Ｓ１が不織布によって構成されていれば、前胴回り領域Ｓ１自体が非係止部の役割を果たす。
【００２７】
サイドフラップ部５０は、裏面シート２０（バックシート２０Ａ及び外装シート２０Ｂ）が延出することによって形成される。サイドフラップ部５０は、吸収性物品１の幅方向Ｗに対する吸収体３０の外側において、吸収性物品１の長手方向Ｌに沿って設けられる。サイドフラップ部５０には、吸収性物品１の長手方向Ｌに伸縮性を有するゴム（例えば、ポリウレタン）などの紐状体５１が設けられる。紐状体５１は、吸収性物品１の長手方向Ｌに伸張した状態で、吸収性物品１の長手方向Ｌに沿って配設される。
【００２８】
紐状体５１は、吸収性物品１の幅方向Ｗ内側から外側に向けて、第１紐状体５１Ａ、第２紐状体５１Ｂ、第３紐状体５１Ｃ及び第４紐状体５１Ｄによって構成される。第１紐状体５１Ａ及び第２紐状体５１Ｂは、バックシート２０Ａと外装シート２０Ｂとの間に設けられる。第３紐状体５１Ｃ及び第４紐状体５１Ｄは、バックシート２０Ａよりも吸収性物品１の幅方向Ｗ外側に延出する外装シート２０Ｂが折り返されることによって、当該外装シート２０Ｂに挟まれている。
【００２９】
次に、上述した裏面シート２０について、図面を参照しながら説明する。図４（ａ）は、第１実施形態に係る裏面シート２０を示す平面図であり、図４（ｂ）は、第１実施形態に係る裏面シート２０を示す拡大断面図（図４（ａ）のＡ−Ａ断面図）である。
【００３０】
図４（ａ）に示すように、裏面シート２０（バックシート２０Ａ及び外装シート２０Ｂ）は、吸収性物品１の幅方向Ｗに対して、延伸加工が施された延伸部２１と、延伸加工が施されない未延伸部２２とを有する。
【００３１】
延伸部２１は、延伸加工が施されることによって未延伸部２２よりも坪量（単位面積当たりの質量）が少ない領域である。延伸部２１は、図４（ｂ）に示すように、延伸量が大きい粗部２１Ｌと、延伸量が小さい密部２１Ｔとが交互に形成される。
【００３２】
延伸部２１は、股下領域Ｓ３内の中央領域Ｃ１に位置する中央延伸部２１Ａと、股下領域Ｓ３内の側部領域Ｃ２に位置する側部延伸部２１Ｂとを有する。つまり、延伸部２１は、吸収性物品１の幅方向Ｗにおいて股下領域Ｓ３の全域に設けられる。また、延伸部２１は、吸収性物品１の長手方向Ｌにおいて中央領域Ｃ１の全域に設けられる。
【００３３】
延伸部２１は、裏面シート２０に延伸加工が施される前の裏面シート２０に対して２．５倍以下で延伸される。側部延伸部２１Ｂの延伸倍率は、中央延伸部２１Ａの延伸倍率よりも大きい。また、延伸部２１は、吸収性物品１の外部から内部が透過する透過率を有することが好ましい。
【００３４】
未延伸部２２は、延伸部２１を除いた領域となる。具体的には、未延伸部２２は、前胴回り領域Ｓ１及び後胴回り領域Ｓ２の少なくとも一部に設けられる。つまり、未延伸部２２は、前胴回り領域Ｓ１における一対の側部領域Ｃ２と、後胴回り領域Ｓ２における一対の側部領域Ｃ２とに設けられる。
【００３５】
次に、裏面シート２０に延伸部２１を形成する延伸加工装置５００について、図面を参照しながら説明する。図５は、第１実施形態に係る延伸加工装置５００を示す斜視図である。図６（ａ）は、第１実施形態に係る延伸加工装置５００を示す正面図（図５のＡ矢視図）であり、図６（ｂ）は、第１実施形態に係る延伸加工装置５００を示す拡大正面図である。
【００３６】
図５及び図６に示すように、延伸加工装置５００は、裏面シート２０が連続した長尺状の裏面シートの連続体１２０の搬送方向ＭＤに直交する幅方向ＣＤに対して、延伸加工を施す。延伸加工装置５００は、予熱ロール５１０と、延伸加工機構５２０とを備える。
【００３７】
予熱ロール５１０は、延伸加工機構５２０よりも裏面シートの連続体１２０の搬送方向ＭＤ上流側に設けられる。予熱ロール５１０は、延伸加工機構５２０を通過する前に裏面シートの連続体１２０を加熱する。予熱ロール５１０は、所定の温度（例えば、１００度）を有する。
【００３８】
延伸加工機構５２０は、予熱ロール５１０を通過した裏面シートの連続体１２０を加熱するとともに、予熱ロール５１０を通過した裏面シートの連続体１２０に延伸加工を施す。延伸加工機構５２０は、所定の温度（例えば、５０〜８０度）を有する。延伸加工機構５２０は、上側ロール５３０と、下側ロール５４０とを備える。
【００３９】
上側ロール５３０は、裏面シートの連続体１２０の上面側に配設される。上側ロール５３０は、軸芯を中心に回転する上側ロール本体５３１と、裏面シートの連続体１２０を押圧する複数の上側凸部５３２とを有する。
【００４０】
上側凸部５３２は、上側ロール本体５３１の回転方向に沿って設けられ、上側ロール本体５３１の外周から突出する。上側凸部５３２は、上側ロール本体５３１の軸芯方向に沿って複数配置される。上側凸部５３２は、上側ロール本体５３１の軸芯方向における断面において、先細の形状（図面では、略三角形状）をなしている。上側凸部５３２は、複数の中央凸部５３２Ａと、複数の側方凸部５３２Ｂとを有する。
【００４１】
中央凸部５３２Ａは、吸収性物品１の中央領域Ｃ１に対応する裏面シートの連続体１２０の中央領域Ｃ１０を押圧することによって中央延伸部２１Ａを形成する。中央凸部５３２Ａは、上側ロール本体５３１の周方向に沿って上側ロール本体５３１の全周に渡って設けられる。
【００４２】
側方凸部５３２Ｂは、吸収性物品１の側部領域Ｃ２に対応する裏面シートの連続体１２０の側部領域Ｃ２０を押圧することによって側部延伸部２１Ｂを形成する。側方凸部５３２Ｂは、上側ロール本体５３１の外周に断続的に設けられる。なお、側方凸部５３２Ｂの高さは、中央凸部５３２Ａの高さよりも高い。
【００４３】
下側ロール５４０は、裏面シートの連続体１２０を挟んで上側ロール５３０の反対側に配設される。下側ロール５４０は、軸芯を中心に回転する下側ロール本体５４１と、複数の上側凸部５３２間に嵌合する複数の下側凸部５４２とを有する。
【００４４】
下側凸部５４２は、下側ロール本体５４１の回転方向に沿って設けられ、上側ロール本体５３１の外周から突出する。下側凸部５４２は、下側ロール本体５４１の軸芯方向に沿って複数配置される。下側凸部５４２は、下側ロール本体５４１の軸芯方向における断面において、先細の形状（図面では、略三角形状）をなしている。下側凸部５４２は、複数の中央凸部５４２Ａと、複数の側方凸部５４２Ｂとを有する。
【００４５】
なお、中央凸部５４２Ａ及び側方凸部５４２Ｂの構成については、側方凸部５３２Ｂ（中央凸部５３２Ａ及び側方凸部５３２Ｂ）と同様である。このため、中央凸部５４２Ａ及び側方凸部５４２Ｂの説明については省略する。例えば、下側凸部５４２は、必ずしも上側凸部５３２と同様である必要はない。
【００４６】
このような延伸加工装置５００では、例えば、予熱ロール５１０が１００度、延伸加工機構５２０が８０度、上側凸部５３２と下側凸部５４２とが嵌合する長さ（Ｌ）が１．６ｍｍ、複数の上側凸部５３２の間隔（ｐ１）及び複数の下側凸部５４２の間隔（ｐ２）が２．５ｍｍの条件で裏面シートの連続体１２０に延伸加工を施す（図６参照）。
【００４７】
これにより、延伸加工装置５００は、裏面シートの連続体１２０に延伸部２１形成し、裏面シートの連続体１２０に延伸加工を施す前の裏面シートの連続体１２０に対して１．３倍の延伸加工を施す。なお、延伸加工装置５００では、上述した諸条件を適宜変更することによって、延伸倍率を可変できることは勿論である。
【００４８】
以上説明した第１実施形態では、延伸部２１は、股下領域Ｓ３内の中央領域Ｃ１に位置する中央延伸部２１Ａと、股下領域Ｓ３内の側部領域Ｃ２に位置する側部延伸部２１Ｂとを有し、未延伸部２２は、延伸部２１を除いた領域（例えば、前胴回り領域Ｓ１及び後胴回り領域Ｓ２の少なくとも一部）に設けられる。これによれば、図７に示すように、股下領域Ｓ３の全域に設けられた延伸部２１が、吸収性物品１の幅方向Ｗに対して伸張可能となる。つまり、股下領域Ｓ３は、前胴回り領域Ｓ１及び後胴回り領域Ｓ２と比べて、吸収性物品１の幅方向Ｗに対して広がる。このため、吸収性物品１が着用者に装着されると、図８に示すように、着用者の股下と吸収体３０との間に空間（いわゆる、ポケットＰ）を形成でき、より確実に横漏れを防止できる。
【００４９】
また、横漏れを防止するために、従来のように複数に折り畳むことによってポケットＰを形成する防漏部を設ける必要なく、単にサイドフラップ部５０を設けることによってポケットＰを形成できる。このため、サイドフラップ部５０は、防漏部と比べて複数に折り畳む必要がないため、防漏部よりも柔軟になる。従って、吸収性物品１は、防漏部が設けられる場合と比べて、着用者が吸収性物品１を装着した際に違和感を与えることなく、着用者の動きに対する追従性を高められる。
【００５０】
第１実施形態では、延伸部２１は、吸収性物品１の長手方向Ｌにおいて中央領域Ｃ１の全域に設けられる。これによれば、所望の吸収性物品１を製造するために、延伸部２１が中央領域Ｃ１の全域に設けらていない場合と比べて、裏面シート２０（裏面シートの連続体１２０）の幅が狭くて済む。このため、裏面シート２０を削減でき、吸収性物品１の製造コストの低減を図れる。また、裏面シート２０を薄くできるため、吸収性物品１の中央領域Ｃ１が柔軟になり、着用者に適合しやすくなる。
【００５１】
第１実施形態では、側部延伸部２１Ｂの延伸倍率は、中央延伸部２１Ａの延伸倍率よりも大きい。これによれば、吸収体３０と重なる中央延伸部２１Ａが薄くなり過ぎず、着用者から排出された体液が裏面シート２０（バックシート２０Ａ）から滲み出ることを抑制できる。また、側部延伸部２１Ｂが中央延伸部２１Ａよりも柔軟になり、さらに着用者に違和感を与えることなく、着用者の動きに対する追従性を高められる。また、側部延伸部２１Ｂが中央延伸部２１Ａよりも延伸しやすくなるため、着用者の股下と吸収体３０との間に空間（いわゆる、ポケット）が形成されやすく、横漏れをより確実に防止できる。
【００５２】
第１実施形態では、延伸部２１は、裏面シート２０に延伸加工が施される前の裏面シート２０に対して２．５倍以下で延伸される。なお、延伸部２１の延伸倍率が２．５倍よりも大きいと、裏面シート２０が薄くなり過ぎ、裏面シート２０の破れや穴あき等の破損が発生してしまう恐れがある。
【００５３】
第１実施形態では、延伸部２１は、吸収性物品１の外部から内部が透過する透過率を有することが好ましい。これによれば、吸収性物品１の外部から内部が透過し、内部を視認できる。従って、吸収性物品１の交換時期（取替時期）を容易に判断できる。
【００５４】
(変更例)
上述した第１実施形態に係る吸収性物品１は、以下のように変更してもよい。なお、上述した第１実施形態に係る吸収性物品１と同一部分には同一の符号を付して、相違する部分を主として説明する。
【００５５】
（変更例１）
まず、変更例１に係る吸収性物品１Ａの構成について、図面を参照しながら説明する。図９は、変更例１に係る吸収性物品１Ａの一部を示す断面図である。
【００５６】
上述した第１実施形態では、裏面シート２０は、バックシート２０Ａと、外装シート２０Ｂとによって形成される。これに対して、変更例１では、図９に示すように、中央領域Ｃ１に位置する裏面シート２０は、バックシート２０Ａのみによって構成される。
【００５７】
具体的には、側部領域Ｃ２に位置する裏面シート２０は、バックシート２０Ａとサイドシート６０とによって形成される。なお、サイドシート６０は、バックシート２０Ａにおける吸収体３０が設けられる反対側の面に設けられる。例えば、サイドシート６０は、外装シート２０Ｂと同様の材料によって形成される。
【００５８】
この場合、ウエストフラップ部４０やサイドフラップ部５０は、吸収性物品１の幅方向Ｗ外側に向って延長したバックシート２０Ａ及びサイドシート６０によって形成されてもよい。
【００５９】
変更例１では、中央領域Ｃ１に位置する裏面シート２０は、バックシート２０Ａのみによって構成されることによって、裏面シート２０がバックシート２０Ａと外装シート２０Ｂとによって形成される場合と比べて、外装シート２０Ｂを使用する量を削減できる。
【００６０】
（変更例２）
次に、変更例２に係る吸収性物品１Ｂの構成について、図面を参照しながら説明する。図１０は、変更例２に係る吸収性物品１Ｂの一部を示す断面図である。
【００６１】
上述した第１実施形態では、裏面シート２０は、延伸部２１と未延伸部２２とを有する。つまり、延伸部２１は、裏面シート２０に形成される。これに対して、変更例２では、図１０に示すように、延伸部２１は、裏面シート２０（バックシート２０Ａ及び外装シート２０Ｂ）に加え、表面シート１０にも形成される。
【００６２】
具体的には、表面シート１０の幅方向Ｗにおける両端部は、吸収体３０を包み込まずに、バックシート２０Ａに接合される。表面シート１０とバックシート２０Ａとが接触する部分に、上述した延伸部２１が形成される。
【００６３】
ここで、延伸部２１を形成する方法としては、次のようになる。第１に、中央領域Ｃ１に対応する裏面シート２０が連続した裏面シートの連続体１２０に延伸加工を施す。第２に、延伸加工が施された裏面シートの連続体１２０上に、吸収体３０及び表面シート１０を順に載置する。第３に、側部領域Ｃ２に対応する表面シート１０が連続した表面シートの連続体及び裏面シートの連続体１２０に延伸加工を施す。
【００６４】
変更例２では、延伸部２１は、表面シート１０と裏面シート２０とによって形成されることによって、着用者から排出された体液が延伸部２１に流出した場合であっても、延伸加工が施された表面シート１０において再度吸収体３０へ体液を誘導できる。
【００６５】
（変更例３）
次に、変更例３に係る吸収性物品１Ｃの構成について、図面を参照しながら説明する。図１１は、変更例３に係る吸収性物品１Ｃの一部を示す断面図である。
【００６６】
上述した第１実施形態では、サイドシート６０は、裏面シート２０の外装シート２０Ｂに接合される。これに対して、変更例３では、図１１に示すように、サイドシート６０は、裏面シート２０のバックシート２０Ａに接合される。
【００６７】
具体的には、サイドシート６０は、バックシート２０Ａにおける吸収体３０が設けられる側の面に設けられる。例えば、サイドシート６０は、裏面シート２０と異なる材料によって形成される。サイドシート６０は、バックシート２０Ａと接合される箇所に延伸加工が施される。
【００６８】
サイドシート６０の幅方向Ｗにおける両端部には、吸収性物品１Ｃの長手方向Ｌに伸縮性を有するゴムなどの紐状体６１が設けられる。紐状体６１は、吸収性物品１Ｃの長手方向Ｌに伸張した状態で、吸収性物品１Ｃの長手方向Ｌに沿って配設される。紐状体６１は、サイドシート６０の幅方向Ｗにおける両端部が折り返されることによって、当該サイドシート６０に挟まれている。
【００６９】
変更例３では、サイドフラップ部５０に加えて、紐状体６１を内部に有するサイドシート６０が設けられることによって、着用者から排出された体液がサイドシート６０及びサイドフラップ部５０（二重）で塞き止められるため、より確実に横漏れを防止できる。
【００７０】
［第２実施形態］
以下において、第２実施形態に係る裏面シート２００の構成について、図面を参照しながら説明する。図１２は、第２実施形態に係る裏面シート２００を示す平面図である。なお、上述した第１実施形態に係る裏面シート２０と同一部分には同一の符号を付して、相違する部分を主として説明する。
【００７１】
上述した第１実施形態では、側部延伸部２１Ｂは、股下領域Ｓ３内の側部領域Ｃ２に設けられる。つまり、延伸部２１は、吸収性物品１の幅方向Ｗにおいて股下領域Ｓ３の全域に設けられる。
【００７２】
これに対して、図１２に示すように、側部延伸部２１Ｂは、裏面シート２０の幅方向Ｗ外側に位置する縁部分２０Eを含む縁部領域Ｃ３を除いた側部領域Ｃ２に設けられる。なお、側部延伸部２１Ｂは、必ずしも縁部領域Ｃ３を除いた側部領域Ｃ２に設けられる必要はなく、股下領域Ｓ３内の側部領域Ｃ２の少なくとも一部に設けられていればよい。
【００７３】
同様に、上述した第１実施形態では、中央延伸部２１Ａは、股下領域Ｓ３内の中央領域Ｃ１に設けられる。つまり、延伸部２１は、吸収性物品１の長手方向Ｌにおいて中央領域Ｃ１の全域に設けられる。
【００７４】
これに対して、図１２に示すように、中央延伸部２１Ａは、裏面シート２０の長手方向Ｌに位置する縁部分２０Eを含む縁部領域Ｃ４を除いた前胴回り領域Ｓ１及び後胴回り領域Ｓ２に設けられていてもよい。なお、中央延伸部２１Ａは、必ずしも縁部領域Ｃ４を除いた前胴回り領域Ｓ１及び後胴回り領域Ｓ２に設けられる必要はなく、股下領域Ｓ３内の中央領域Ｃ１の少なくとも一部に設けられていればよい。
【００７５】
以上説明した第２実施形態では、側部延伸部２１Ｂは、縁部領域Ｃ３を除いた側部領域Ｃ２に設けられる、または、中央延伸部２１Ａは、縁部領域Ｃ４を除いた前胴回り領域Ｓ１及び後胴回り領域Ｓ２に設けられる。これによれば、第１実施形態と同様に、着用者に装着時の違和感を与えることなく、より確実に横漏れを防止できる。
【００７６】
ところで、全面に延伸加工が施された裏面シートの連続体１２０を搬送する場合に、当該裏面シートの連続体１２０の縁部分がめくれてしまう場合がある。このため、裏面シートの連続体１２０にシワが生じてしまい、吸収性物品１の製造不良が発生してしまうことがある。
【００７７】
これに対して、第２実施形態では、縁部領域Ｃ３または縁部領域Ｃ４に延伸加工が施されないことによって、縁部領域Ｃ３または縁部領域Ｃ４に延伸加工が施される場合と比べて、縁部領域Ｃ３または縁部領域Ｃ４の剛性を確保できる。従って、吸収性物品１の製造時に裏面シート２０の裏面シートの連続体１２０にめくれやシワが発生しにくく、当該裏面シートの連続体１２０の搬送が安定し、吸収性物品１の製造不良を抑制できる。
【００７８】
［第３実施形態］
以下において、第３実施形態に係る裏面シート２０’の構成について、簡単に説明する。なお、上述した第１実施形態に係る裏面シート２０と相違する部分を主として説明する。
【００７９】
上述した第１実施形態では、側部延伸部２１Ｂの延伸倍率は、中央延伸部２１Ａの延伸倍率よりも大きい。これに対して、第３実施形態では、側部延伸部２１Ｂの延伸倍率は、中央延伸部２１Ａの延伸倍率よりも小さい。この場合、側方凸部５３２Ｂの高さが中央凸部５３２Ａの高さよりも低くなる。
【００８０】
以上説明した第３実施形態では、側部延伸部２１Ｂの延伸倍率は、中央延伸部２１Ａの延伸倍率よりも小さい。これによれば、第１実施形態と同様に、着用者に装着時の違和感を与えることなく、より確実に横漏れを防止できる。
【００８１】
第３実施形態では、第２実施形態と同様に、側部延伸部２１Ｂの延伸倍率が中央延伸部２１Ａの延伸倍率よりも大きい場合と比べて、中央領域Ｃ１の剛性を確保できる。従って、吸収性物品１の製造時に裏面シート２０の裏面シートの連続体１２０にめくれやシワが発生しにくく、当該裏面シートの連続体１２０の搬送が安定し、吸収性物品１の製造不良を抑制できる。
【００８２】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００８３】
例えば、本発明の実施形態は、次のように変更することができる。具体的には、吸収性物品１は、オープン型のおむつであるものとして説明したが、これに限定されるものではなく、パンツ型のおむつや生理用ナプキンなどであってもよい。
【００８４】
また、表面シート１０や裏面シート２０、吸収体３０は、実施形態で説明した構成に限定されるものではなく、異なる構成であってもよく、目的に応じて適宜変更できる。なお、ウエストフラップ部４０、サイドフラップ部５０などの構成についても同様に、目的に応じて適宜変更できる。つまり、延伸部は、裏面シート２０に少なくとも設けられていればよく、異なる部材に形成されていてもよいことは勿論である。
【００８５】
側部延伸部２１Ｂは、股下領域Ｓ３内の側部領域Ｃ２の少なくとも一部に位置していればよく、例えば、前胴回り領域Ｓ１及び後胴回り領域Ｓ２に一部がはみ出すように設けられていてもよい。
【００８６】
また、延伸加工装置５００は、裏面シート２０に延伸部２１を形成するための一例として説明したため、その他の構成であってもよく、裏面シート２０に延伸部２１を形成できる構成であればよいことは勿論である。つまり、延伸加工装置５００は、必ずしも予熱ロール５１０と延伸加工機構５２０とを備える必要はなく、延伸加工機構５２０のみによって構成されていてもよいことは勿論である。
【００８７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００８８】
１,１Ａ,１Ｂ,１Ｃ…吸収性物品、１０…表面シート、２０,２００…裏面シート、２０Ａ…バックシート、２０Ｂ…外装シート、２０E…縁部分、２１…延伸部、２１Ａ…中央延伸部、２１Ｂ…側部延伸部、２１Ｌ…粗部、２１Ｔ…密部、２２…未延伸部、３０…吸収体、３０Ａ…混合粉体、３０Ｂ…被覆材、４０…ウエストフラップ部、４０Ａ…前側フラップ部、４０Ｂ…後側フラップ部、４１…係止部、５０…サイドフラップ部、５１…紐状体、５１Ａ〜５１Ｄ…第１〜第４紐状体、６０…サイドシート、６１…紐状体、１２０…裏面シートの連続体、５００…延伸加工装置、５１０…予熱ロール、５２０…延伸加工機構、５３０…上側ロール、５３１…上側ロール本体、５３２…上側凸部、５３２Ａ…中央凸部、５３２Ｂ…側方凸部、５４０…下側ロール、５４１…下側ロール本体、５４２…下側凸部、５４２Ａ…中央凸部、５４２Ｂ…側方凸部
【図１】
2010227235.tif 000003
【図２】
2010227235.tif 000004
【図３】
2010227235.tif 000005
【図４】
2010227235.tif 000006
【図５】
2010227235.tif 000007
【図６】
2010227235.tif 000008
【図７】
2010227235.tif 000009
【図８】
2010227235.tif 000010
【図９】
2010227235.tif 000011
【図１０】
2010227235.tif 000012
【図１１】
2010227235.tif 000013
【図１２】
2010227235.tif 000014